(57)【要約】【課題】太陽電池を利用した害鳥の撃退法において継続的な害鳥の撃退を行なう。【解決手段】太陽電池４から供給された直流電力を交流電力に変換するインバータ５２と、害鳥の生息区域内に設置されるノイズ放射部３とを備える。ノイズ放射部３はインバータ５２から放出されたスイッチングノイズを大気中に放射して前記害鳥を追い払う。インバータ５２は夜間に交流電力を直流電力に変換してスイッチングノイズを発生するようにしてもよい。または、インバータ５２よりも電気的に小容量の害鳥撃退用のインバータを備え、このインバータがランダムな周波数のスイッチングによってスイッチングノイズを放出するようにしてもよい。若しくは、インバータ５２と比べて電気的に同容量または小容量の害鳥撃退用のインバータと、このインバータから放出されたスイッチングノイズの強さを変えるノイズ切換えスイッチとを備えてもよい。【選択図】図１
2007228930.tif 000002
【特許請求の範囲】
【請求項１】
太陽電池から供給された直流電力を交流電力に変換するインバータから放出されたスイッチングノイズを害鳥の生息区域内に設置されたノイズ放射手段によって大気中に放射して前記害鳥を追い払うこと
を特徴とする害鳥の撃退方法。
【請求項２】
夜間、前記インバータは交流電力を直流電力に変換してスイッチングノイズを発生すること
を特徴とする請求項１記載の害鳥の撃退方法。
【請求項３】
前記インバータよりも電気的に容量の小さい害鳥撃退用のインバータを備え、
前記害鳥撃退用のインバータはランダムな周波数のスイッチングによってスイッチングノイズを放出し、
前記ノイズ放射手段が前記害鳥撃退用のインバータから放出されたスイッチングノイズを放射して前記害鳥を追い払うこと
を特徴とする請求項１記載の害鳥の撃退方法。
【請求項４】
前記インバータと電気的に同容量の害鳥撃退用のインバータと、
前記害鳥撃退用のインバータから放出されたスイッチングノイズの強さを変えるノイズ切換えスイッチとを備え、
前記ノイズ放射手段が前記ノイズ切換えスイッチによってノイズの強度が変えられたスイッチングノイズを放射して前記害鳥を追い払うこと
を特徴とする請求項１記載の害鳥の撃退方法。
【請求項５】
前記インバータよりも電気的に容量の小さいと共にランダムな周波数でスイッチング可能な害鳥撃退用のインバータと、
前記害鳥撃退用のインバータから放出されたスイッチングノイズの強さを変えるノイズ切換えスイッチとを備え、
前記ノイズ放射手段が前記ノイズ切換えスイッチによってノイズの強度が変えられたスイッチングノイズを放射して前記害鳥を追い払うこと
を特徴とする請求項１記載の害鳥の撃退方法。
【請求項６】
太陽電池から供給された直流電力を交流電力に変換するインバータと、
害鳥の生息区域内に設置されるノイズ放射手段とを備え、
前記ノイズ放射手段は前記インバータから放出されたスイッチングノイズを大気中に放射して前記害鳥を追い払うこと
を特徴とする害鳥の撃退システム。
【請求項７】
夜間、前記インバータは交流電力を直流電力に変換してスイッチングノイズを発生すること
を特徴とする請求項６記載の害鳥の撃退システム。
【請求項８】
前記インバータよりも電気的に容量の小さい害鳥撃退用のインバータを備え、
前記害鳥撃退用のインバータはランダムな周波数のスイッチングによってスイッチングノイズを放出し、
前記ノイズ放射手段は前記害鳥撃退用のインバータから放出されたスイッチングノイズを放射して前記害鳥を追い払うこと
を特徴とする請求項６記載の害鳥の撃退システム。
【請求項９】
前記インバータと電気的に同容量の害鳥撃退用のインバータと、
前記害鳥撃退用のインバータから放出されたスイッチングノイズの強さを変えるノイズ切換えスイッチとを備え、
前記ノイズ放射手段は前記ノイズ切換えスイッチによってノイズの強度が変えられたスイッチングノイズを放射して前記害鳥を追い払うこと
を特徴とする請求項６記載の害鳥の撃退システム。
【請求項１０】
前記インバータよりも電気的に容量の小さいと共にランダムな周波数でスイッチング可能な害鳥撃退用のインバータと、
前記害鳥撃退用のインバータから放出されたスイッチングノイズの強さを変えるノイズ切換えスイッチとを備え、
前記ノイズ放射手段は前記ノイズ切換えスイッチによってノイズの強度が変えられたスイッチングノイズを放射して前記害鳥を追い払うこと
を特徴とする請求項６記載の害鳥の撃退システム。
【発明の詳細な説明】
【技術分野】
【０００１】
本発明は、インバータを用いた害鳥の撃退方法、特に、インバータが発生するスイッチングノイズによって害鳥を撃退する方法に関する。
【背景技術】
【０００２】
害鳥に関する問題は、近年社会問題、環境問題として取り上げられることが多くなり、その対策自治体を中心に様々な方法が採られている。対策としては、環境省によって提唱された「自治体担当者のためのカラス対策マニュアル」に開示されているように、固体数の減少を図る方法と害鳥を追い払う方法とがある。前者の具体例としてはゴミ対策、捕獲が挙げられる。後者の具体例としては案山子等の視覚的に追い払う方法や音響・聴覚的に追い払う方法が挙げられる。前記両者の効果についても、効果の有無、傾向が明らかになりつつある。
【０００３】
前記音響・聴覚的に追い払う具体的な方法としては、特許文献１（特開２００１−１１２４００）に示された鳥獣追払い装置、特許文献２（実開平６−３８５５８）に示された果樹園の鳥侵入防止装置、特許文献３（特開平０８−１２６４６０）に示された鳥獣害防止具、特許文献４（特開平１１−３３２４５０）に示されたカラス防除装置及び鳥類防除装置、特許文献５（特開２００１−１２０１５８）に示された獣用忌避音発生装置、特許文献６（特開２００４−０７３１０５）に示された鳥獣害防止器、特許文献７（特開２００２−０７８４４２）に示された超音波または複合電波発振装置、特許文献８（特開平０８−１８７０４８）に示された鳥獣等の威嚇による排除方法、特許文献９（特開平０９−０２８２７２）に示された鳥類の追払い方法、特許文献１０（特許第２７６８７５６号明細書）に示された害鳥獣防除装置等が挙げられる。特に、特許文献９及び特許文献１０に開示された鳥類の追払い方法は、爆音等の衝撃音を起して害鳥を追払うものであって、電源に太陽光発電システムを利用して害鳥対策を低コストに行なっている。
【０００４】
図５は太陽光発電システムの一例を示した概略説明図である。太陽光発電システム１０は太陽電池１１と直流集合箱１２とパワーコンディショナ１３とを備える。太陽電池１１は太陽光を受けると、直流電圧を発生させる。太陽電池１１の直流出力側は直流集合箱１２を介してパワーコンディショナ１３と接続される。パワーコンディショナ１３は直流電圧を規程の交流電圧（例えば交流線間２００Ｖ、４００Ｖ等）、交流周波数（５０または６０Ｈｚ）に変換し、電力系統１４側に電力を供給する。この交直変換時のスイッチング周波数は一般に６ｋＨｚ〜１０ｋＨｚ程度である。太陽光電池１１はシリコン単結晶を母体とする結晶体である。直流集電箱１２は、個々の太陽光電池１１を接続するもので、接続導体と配線遮断器とからなる。パワーコンディショナ１３はインバータを構成する半導体とその制御装置とを備える。
【特許文献１】特開２００１−１１２４００
【特許文献２】実開平６−３８５５８
【特許文献３】特開平０８−１２６４６０
【特許文献４】特開平１１−３３２４５０
【特許文献５】特開２００１−１２０１５８
【特許文献６】特開２００４−０７３１０５
【特許文献７】特開２００２−０７８４４２
【特許文献８】特開平０８−１８７０４８
【特許文献９】特開平０９−０２８２７２
【特許文献１０】特許第２７６８７５６号明細書
【発明の開示】
【発明が解決しようとする課題】
【０００５】
しかしながら、音響・聴覚的に害鳥類を追い払う方法は騒音公害、音響・聴覚的な慣れにより継続的な撃退が難しい。特に、「音響・聴覚的な慣れ」については、一度慣れてしまうと、撃退効果が全くなる場合がある。したがって、継続的に害鳥を撃退する方法としては、害鳥に対して継続的に環境の変化を与え、刺激することが必要である。
【０００６】
また、太陽光発電システムを利用して衝撃音を発生させて鳥類の追払い方法では太陽電池のパネル面が鳥の糞によって汚れ、太陽光による発電効率が低下し、継続的な害鳥の撃退を行なえない。
【０００７】
本発明は以上の事情に鑑みなされたもので、その目的は太陽電池を利用した害鳥の撃退法において継続的な害鳥の撃退を行なえる害鳥の撃退方法及びそのシステムの提供にある。
【課題を解決するための手段】
【０００８】
そこで、請求項１記載の害鳥の撃退方法は、太陽電池から供給された直流電力を交流電力に変換するインバータから放出されたスイッチングノイズを害鳥の生息区域内に設置されたノイズ放射手段によって大気中に放射して前記害鳥を追い払うことを特徴とする。
【０００９】
請求項２記載の害鳥の撃退方法は、請求項１記載の害鳥の撃退方法において、夜間、前記インバータは交流電力を直流電力に変換してスイッチングノイズを発生することを特徴とする。
【００１０】
請求項３記載の害鳥の撃退方法は、請求項１記載の害鳥の撃退方法において、前記インバータよりも電気的に容量の小さい害鳥撃退用のインバータを備え、前記害鳥撃退用のインバータはランダムな周波数のスイッチングによってスイッチングノイズを放出し、前記ノイズ放射手段が前記害鳥撃退用のインバータから放出されたスイッチングノイズを放射して前記害鳥を追い払うことを特徴とする。
【００１１】
請求項４記載の害鳥の撃退方法は、請求項１記載の害鳥の撃退方法において、前記インバータと電気的に同容量の害鳥撃退用のインバータと、前記害鳥撃退用のインバータから放出されたスイッチングノイズの強さを変えるノイズ切換えスイッチとを備え、前記ノイズ放射手段が前記ノイズ切換えスイッチによってノイズの強度が変えられたスイッチングノイズを放射して前記害鳥を追い払うことを特徴とする。
【００１２】
請求項５記載の害鳥の撃退方法は、請求項１記載の害鳥の撃退方法において、前記インバータよりも電気的に容量の小さいと共にランダムな周波数でスイッチング可能な害鳥撃退用のインバータと、前記害鳥撃退用のインバータから放出されたスイッチングノイズの強さを変えるノイズ切換えスイッチとを備え、前記ノイズ放射手段が前記ノイズ切換えスイッチによってノイズの強度が変えられたスイッチングノイズを放射して前記害鳥を追い払うことを特徴とする。
【００１３】
請求項６記載の害鳥の撃退システムは、太陽電池から供給された直流電力を交流電力に変換するインバータと、害鳥の生息区域内に設置されるノイズ放射手段とを備え、前記ノイズ放射手段は前記インバータから放出されたスイッチングノイズを大気中に放射して前記害鳥を追い払うことを特徴とする。
【００１４】
請求項７記載の害鳥の撃退システムは、請求項６記載の害鳥の撃退システムにおいて、夜間、前記インバータは交流電力を直流電力に変換してスイッチングノイズを発生することを特徴とする。
【００１５】
請求項８記載の害鳥の撃退システムは、請求項６記載の害鳥の撃退システムにおいて、前記インバータよりも電気的に容量の小さい害鳥撃退用のインバータを備え、前記害鳥撃退用のインバータはランダムな周波数のスイッチングによってスイッチングノイズを放出し、前記ノイズ放射手段は前記害鳥撃退用のインバータから放出されたスイッチングノイズを放射して前記害鳥を追い払うことを特徴とする。
【００１６】
請求項９記載の害鳥の撃退システムは、請求項６記載の害鳥の撃退システムにおいて、前記インバータと電気的に同容量の害鳥撃退用のインバータと、前記害鳥撃退用のインバータから放出されたスイッチングノイズの強さを変えるノイズ切換えスイッチとを備え、前記ノイズ放射手段は前記ノイズ切換えスイッチによってノイズの強度が変えられたスイッチングノイズを放射して前記害鳥を追い払うことを特徴とする。
【００１７】
請求項１０記載の害鳥の撃退システムは、請求項６記載の害鳥の撃退システムにおいて、前記インバータよりも電気的に容量の小さいと共にランダムな周波数でスイッチング可能な害鳥撃退用のインバータと、前記害鳥撃退用のインバータから放出されたスイッチングノイズの強さを変えるノイズ切換えスイッチとを備え、前記ノイズ放射手段は前記ノイズ切換えスイッチによってノイズの強度が変えられたスイッチングノイズを放射して前記害鳥を追い払うことを特徴とする。
【００１８】
請求項１から１０記載の発明によれば、インバータから発生したスイッチングノイズを大気中に放射するので、騒音公害を引き起こすとなく、害鳥を追払うことができる。また、害鳥が追払われることにより、太陽電池のパネルが害鳥の糞によって汚されることがないので、太陽電池の発電効率の低下を防ぐことができる。
【００１９】
特に、請求項２及び７記載の発明によれば、夜間も害鳥を追払うことができる。
【００２０】
また、請求項３及び８記載の発明によれば、ランダムな周波数のスイッチングによってスイッチングノイズが放出されるので、スイッチングノイズに害鳥が慣れることがない。
【００２１】
さらに、請求項４及び９記載の発明によれば、スイチングノイズの強度が変化するので、スイッチングノイズに害鳥が慣れることがない。
【００２２】
また、請求項５及び１０記載の発明によれば、ランダムな周波数のスイッチングによってスイッチングノイズが放出されると共にスイッチングノイズの強度が変化するので、害鳥の聴覚に対する刺激を変化させることできる。
【発明の効果】
【００２３】
以上のように請求項１〜１０記載の発明によれば継続的な害鳥の撃退を行なえる。
【００２４】
特に、請求項２及び７記載の発明によれば夜間も害鳥撃退の効果を持続できる。
【００２５】
また、請求項３、４、８及び９記載の発明によればノイズの慣れによる害鳥撃退効果の減退を防止できる。
【００２６】
さらに、請求項５及び１０記載の発明によれば害鳥撃退効果の持続性が一層高まる。
【発明を実施するための最良の形態】
【００２７】
（実施形態１）
図１は本発明の一実施形態に係る害鳥撃退システムの概略構成図である。
【００２８】
害鳥撃退システム１は太陽光発電システム２ａとノイズ放射部３とを備える。太陽光発電システム２ａは太陽電池４とパワーコンディショナシステム５ａとを備える。太陽電池４は太陽光発電技術に適用されている既知の太陽電池を採用すればよい。太陽電池４の容量は害鳥撃退システム１が適用される害鳥の生息区域の広さ等に基づき定まる。
【００２９】
パワーコンディショナシステム５ａは配線遮断器５１とインバータ５２と配線遮断器５３とを備える。配線遮断器５１は太陽電池４とインバータ５２とを電気的に接続及びその遮断を行なう。配線遮断器５１は直流回路５４を介してインバータ５２と電気的に接続されている。インバータ５２は太陽電池４から供給された直流電力を交流電力に変換する。配線遮断器５３はインバータ５２と外部の電力系統とを電気的に接続及びその遮断を行なう。配線遮断器５３は交流回路５５を介してインバータ５２に電気的に接続されている。配線遮断器５１，５３及びインバータ５２には太陽光発電技術に適用されている既知の遮断器及び電力変換装置を採用すればよい。
【００３０】
ノイズ放射部３はインバータ５２から発生したスイッチングノイズを大気中に放射するためのノイズ放射手段である。ノイズ放射部３は出力線３１を介してパワーコンディショナシステム５ａの直流回路５４と交流回路５５のいずれかまたは両方に接続される。ノイズ放射部３は害鳥の生息区域内の樹木、電柱等に設置される。ノイズ放射部３の設置数は害鳥の生息区域の広さに応じて決定する。ノイズ放射部３の形態としてはアンテナタイプやスピーカータイプのものが挙げられる。尚、スピーカータイプのノイズ放射部３が採用される場合は出力線３１に増幅器が適宜設けられる。
【００３１】
図１を参照しながら本実施形態の害鳥撃退システムの動作例を説明する。
【００３２】
太陽電池４から供給された直流電力はインバータ５２に供給される。前記直流電力はインバータ５２によって交流電力に変換される。インバータ５２の動作中はインバータ５２から放出されたスイッチングノイズが直流回路５４及び交流回路５５を経由して出力線３１を伝わってノイズ放射部３に供給される。ノイズ放射部３は前記スイッチングノイズを大気中に放射する。この放射されたスイッチングノイズを害鳥の聴覚を刺激し、前記害鳥を撃退する。また、害鳥が追払われることにより、太陽電池４のパネルが害鳥の糞によって汚されることがない。したがって、太陽電池４の発電効率の低下を防ぐことができる。
【００３３】
（実施形態２）
本実施形態の害鳥撃退システムは、夜間、交流電力によってインバータを動作させて、夜間も害鳥の撃退が可能となっている。この害鳥撃退システムは、インバータ５２から供給された直流電力を利用する図示省略の直流負荷を備えたこと以外、実施形態１と同じ構成となっている。パワーコンディショナ２ａは夜間にインバータ５２を動作させる害鳥撃退モードを実行する。前記害鳥撃退モードは使用者によって任意に選択される。
【００３４】
図１を参照しながら本実施形態の害鳥撃退システムの動作例を説明する。
【００３５】
害鳥撃退モードが選択された場合、昼間、パワーコンディショナシステム２ａのインバータ５２は太陽電池４から供給された直流電力を交流電力に変換する。インバータ５２の動作中はインバータ５２から放出されたスイッチングノイズが直流回路５４及び交流回路５５を経由して出力線３１を伝わってノイズ放射部３に供給される。ノイズ放射部３は前記スイッチングノイズを大気中に放射する。この放射されたスイッチングノイズを害鳥の聴覚を刺激し、前記害鳥を撃退する。また、害鳥が追払われることにより、太陽電池４のパネルが害鳥の糞によって汚されることがない。したがって、太陽電池４の発電効率の低下を防ぐことができる。
【００３６】
次いで、夜間、パワーコンディショナシステム２ａのインバータ５２は電力系統から供給された交流電力を直流電力に変換する。前記直流電力は図示省略の直流負荷に供給される。インバータ５２の動作中、ノイズ放射部３はインバータ５２から放出されたスイッチングノイズを大気中に放射する。害鳥は前記放射されたスイッチングノイズによって駆除される。
【００３７】
（実施形態３）
本実施形態の害鳥撃退システムは、太陽光発電用のインバータの他に、害鳥撃退用の小容量インバータを備える。害鳥撃退用のインバータをランダムな周波数でスイッチングすることにより、一定時間を置いて周波数を変えている。周波数の変化については、その時間、周波数を使用者がパワーコンディショナシステムに入力することとし、またそのパターンを随時変更することを可能とする。周波数のパターンが一定では、害鳥が前記パターンを学習してしまい、害鳥の撃退効果が低下する可能性がある。そこで、本実施形態の害鳥撃退システムはインバータをランダムな周波数でスイッチングさせることで害鳥による周波数パターンの学習を阻止して害鳥の撃退効果を維持させている。
【００３８】
図２は本実施形態に係る害鳥撃退システムの概略構成図である。
【００３９】
害鳥撃退システム６は太陽光発電システム２ｂとノイズ放射部３とを備える。太陽光発電システム２ｂは太陽電池４とパワーコンディショナシステム５ｂとを備える。
【００４０】
パワーコンディショナシステム５ｂは実施形態１のパワーコンディショナシステム５ａの構成要素に配線遮断器５６とインバータ５７が付加された形態となっている。パワーコンディショナシステム２ｂはインバータ５２とインバータ５７の運転切換え及び運転時間が任意に設定可能となっている。
【００４１】
配線遮断器５６は配線遮断器５３と並列に配置されている。配線遮断器５６は外部の電力系統とインバータ５７とを電気的に接続及びその遮断を行なう。配線遮断器５６は交流回路５８を介してインバータ５７と電気的に接続されている。
【００４２】
インバータ５７は害鳥撃退用のインバータでありインバータ５２よりも電気的に容量が小さい。インバータ５７は交流電力によってランダムな周波数でスイッチングノイズを発生する。前記スイッチングノイズは交流回路５８及び直流回路５９を介してノイズ放射部３に供給される。配線遮断器５６及びインバータ５７は実施形態１と同様に太陽光発電技術に適用されている既知の遮断器及び電力変換装置を採用すればよい。
【００４３】
ノイズ放射部３は実施形態１と同様に害鳥の生息区域の広さに応じて複数設定される。例えば複数のノイズ放射部３が出力線３１を介して交流回路５８に接続される。また、複数のノイズ放射部３が出力線３１を介して直流回路５９に接続される。
【００４４】
図２を参照しながら本実施形態の害鳥撃退システムの動作例を説明する。
【００４５】
インバータ５２の運転時間帯では、太陽電池４から供給された直流電力はインバータ５２に供給される。前記直流電力はインバータ５２によって交流電力に変換される。インバータ５２の動作中はインバータ５２から放出されたスイッチングノイズが直流回路５４、交流回路５５、交流回路５８及び直流回路５９を経由して出力線３１を伝わってノイズ放射部３に供給される。ノイズ放射部３は前記スイッチングノイズを大気中に放射する。この放射されたスイッチングノイズが害鳥を追払う。そして、予め設定された時刻になると、インバータ５７の運転に切り換わる。また、害鳥が追払われることにより、太陽電池４のパネルが害鳥の糞によって汚されることがない。したがって、太陽電池４の発電効率の低下を防ぐことができる。
【００４６】
インバータ５７の運転時間帯では、インバータ５７は電力系統から供給された交流電力を直流電力に変換する。前記直流電力は図示省略の直流負荷に供給される。インバータ５７の動作中、インバータ５７から放出されたスイッチングノイズは交流回路５８及び直流回路５９を経由して出力線３１を伝わってノイズ放射部３に供給される。ノイズ放射部３はインバータ５７から放出されたスイッチングノイズを大気中に放射する。害鳥は前記放射されたスイッチングノイズによって駆除される。インバータ５７から放出されたスイッチングノイズの周波数はインバータ５２から放出されたスイッチングノイズの周波数と異なると共にランダムであるので、周波数のパターンが害鳥によって学習されることはない。したがって、ノイズの慣れによる害鳥撃退効果の減退が防止される。
【００４７】
以上の害鳥撃退システム６によれば、太陽光発電用のインバータに加え害鳥撃退用の小容量インバータがランダムな周波数でスイッチングすることにより、害鳥が一定の周波数のノイズに慣れたとしても、周波数が変化するので、害鳥の聴覚を常に刺激し、害鳥撃退の効果が持続する。
【００４８】
（実施形態４）
図３（ａ）は本発明の一実施形態に係る害鳥撃退システムの概略構成図である。
【００４９】
本実施形態の害鳥撃退システムはインバータから放出されるスイッチングノイズの強さを変化させて害鳥撃退の効果を持続させている。
【００５０】
害鳥撃退システム７は太陽光発電システム２ｃとノイズ放射部３とを備える。太陽光発電システム２ｃは太陽電池４とパワーコンディショナシステム５ｃとを備える。
【００５１】
パワーコンディショナシステム５ｃは実施形態１のパワーコンディショナシステム５ａの構成要素に配線遮断器５６とインバータ６０とノイズ切換えシステム８とが付加された形態となっている。配線遮断器５６は配線遮断器５３と並列に配置されている。配線遮断器５６は外部の電力系統とインバータ６０とを電気的に接続及びその遮断を行なう。配線遮断器５６は交流回路５８を介してインバータ６０と電気的に接続されている。インバータ６０は害鳥撃退用のインバータでありインバータ５２と電気的に同容量となっている。パワーコンディショナシステム５ｃではインバータ５２とインバータ６０の運転切換え及び運転時間が任意に設定可能となっている。このようにスイッチ端子Ａ、Ｂ、Ｃの強弱切換えを一定時間で変化させ、駆除効果を持続することが可能となる。一定パターンのみでは、害鳥にパターンを認識され、効果が薄れる可能性があるからである。
【００５２】
ノイズ切換えシステム８は切換えスイッチ８１とノイズフィルタ８２ａ，８２ｂとを備える。切換えスイッチ８１はノイズ放射部３と連絡している出力線３１に接続されている。切換えスイッチ８１は複数の接点を有する。強弱の変化については、その時間、レベルを使用者が太陽光ＰＣＳに入力することとし、またそのパターンを随時変更することを可能とする。ノイズフィルタ８２ａ，８２ｂは切換えスイッチ８１と直流回路５９とを接続させた出力線８３に直列に接続されている。図３（ｂ）に例示された切換えスイッチ８１は３つの接点を有し、任意に三種類のノイズの切換えが可能となっている。すなわち切換えスイッチ８１はスイッチ端子Ａ，Ｂ，Ｃ，Ｄを備える。スイッチ端子Ａには出力線８３が接続されている。スイッチ端子Ｂには出力線８４が接続されている。出力線８４はノイズフィルタ８２ａとノイズフィルタ８２ｂとを連結した出力線８３に接続されている。スイッチ端子Ｃには出力線８５が接続されている。出力線８５はノイズフィルタ８２ｂと直流回路５９とを連結した出力線８３に接続されている。また、ノイズ切換えシステム８においてスイッチの切換え時間を任意に設定できるタイマーを備えれば、任意の一定時間毎にスイッチングノイズの強さを変化させることができる。尚、以上説明した切換えスイッチは三種類のノイズに限定されず、四種類以上のノイズを選択できるようにしてもよい。
【００５３】
図３を参照しながら本実施形態の害鳥撃退システムの動作例を説明する。
【００５４】
太陽電池４から供給された直流電力はインバータ５２に供給される。前記直流電力はインバータ５２によって交流電力に変換される。切換えスイッチ８１がスイッチ端子Ａとスイッチ端子Ｄとを導通させると、インバータ５２または６０の動作中はインバータ５２または６０から放出されたスイッチングノイズが直流回路５９からノイズフィルタ８２ｂ，８２ａを経由して出力線３１を伝わってノイズ放射部３に供給される。次いで、スイッチ端子Ｂとスイッチ端子Ｄが導通するように切換えスイッチ８１が動作すると、前記スイッチングノイズがノイズフィルタ８２ｂを経由して出力線８４及び出力線３１を伝わってノイズ放射部３に供給される。次に、スイッチ端子Ｃとスイッチ端子Ｄが導通するように切換えスイッチ８１が動作すると、前記スイッチングノイズが出力線８５及び出力線３１を伝わってノイズ放射部３に供給される。このように切換えスイッチ８１によってスイッチ端子Ａとスイッチ端子Ｄの導通が選択されると前記スイッチングノイズを最も弱く放出させる一方で、スイッチ端子Ｃとスイッチ端子Ｄとの導通が選択されると前記スイッチングノイズを最も強く放出させることができる。以上のように放出されるスイッチングノイズの強さが変化することで、害鳥に与える聴覚への刺激が変化するので、ノイズの慣れによる害鳥撃退効果の減退を防止することができる。また、害鳥が追払われることにより、太陽電池４のパネルが害鳥の糞によって汚されることがない。したがって、太陽電池４の発電効率の低下を防ぐことができる。
【００５５】
以上の害鳥撃退システム７によれば、害鳥撃退用のノイズ放射部３への出力ノイズを数段階調整できるので、害鳥がある一定の強度のノイズに慣れたとしてもノイズの強度が変化する。これにより害鳥の聴覚が常に刺激され、害鳥撃退の効果が持続する。
【００５６】
（実施形態５）
図４は本発明の一実施形態に係る害鳥撃退システムの概略構成図である。
【００５７】
本実施形態の害鳥撃退システムは、実施形態３と実施形態４とを組み合わせたものである。スイッチングノイズの周波数変化及び強弱変化を同時に実施することにより、害鳥の聴覚に対する刺激を多様に変化させることが可能となり、害鳥撃退の効果を持続させることができる。
【００５８】
害鳥撃退システム９は太陽光発電システム２ｄとノイズ放射部３とを備える。太陽光発電システム２ｄは太陽電池４とパワーコンディショナシステム５ｄとを備える。パワーコンディショナシステム５ｄはパワーコンディショナシステム５ｃのインバータ６０がインバータ５７に置換された形態となっている。
【００５９】
図４を参照しながら本実施形態の害鳥撃退システムの動作例を説明する。
【００６０】
インバータ５２の運転時間帯では、太陽電池４から供給された直流電力はインバータ５２に供給される。前記直流電力はインバータ５２によって交流電力に変換される。インバータ５２の動作中はインバータ５２から放出されたスイッチングノイズが直流回路５４、交流回路５５、交流回路５８及び直流回路５９を経由して出力線３１を伝わってノイズ放射部３に供給される。ノイズ放射部３は前記スイッチングノイズを大気中に放射する。この放射されたスイッチングノイズが害鳥を追払う。そして、予め設定された時刻になると、インバータ５７の運転に切り換わる。
【００６１】
インバータ５７の運転時間帯では、インバータ５７は電力系統から供給された交流電力を直流電力に変換する。前記直流電力は図示省略の直流負荷に供給される。インバータ５７の動作中、インバータ５７から放出されたスイッチングノイズは交流回路５８及び直流回路５９を経由して出力線３１を伝わってノイズ放射部３に供給される。ノイズ放射部３はインバータ５７から放出されたスイッチングノイズを大気中に放射する。害鳥は前記放射されたスイッチングノイズによって駆除される。インバータ５７から放出されたスイッチングノイズの周波数はインバータ５２から放出されたスイッチングノイズの周波数と異なると共にランダムであるので、周波数のパターンが害鳥によって認識されることはない。したがって、ノイズの慣れによる害鳥撃退効果の減退が防止される。
【００６２】
また、図３（ｂ）に示されたようにノイズ切換えシステム８の切換えスイッチ８１がスイッチ端子Ａとスイッチ端子Ｄとを導通させると、インバータ５２または６０の動作中はインバータ５２または６０から放出されたスイッチングノイズが直流回路５９からノイズフィルタ８２ｂ，８２ａを経由して出力線３１を伝わってノイズ放射部３に供給される。次いで、スイッチ端子Ｂとスイッチ端子Ｄが導通するように切換えスイッチ８１が動作すると、前記スイッチングノイズがノイズフィルタ８２ｂを経由して出力線８４及び出力線３１を伝わってノイズ放射部３に供給される。次に、スイッチ端子Ｃとスイッチ端子Ｄが導通するように切換えスイッチ８１が動作すると、前記スイッチングノイズが出力線８５及び出力線３１を伝わってノイズ放射部３に供給される。このように切換えスイッチ８１によってスイッチ端子Ａとスイッチ端子Ｄの導通が選択されるとノイズを最も弱く放出させる一方で、スイッチ端子Ｃとスイッチ端子Ｄとの導通が選択されると最もノイズを強く放出させることができる。
【００６３】
以上の害鳥撃退システム９によれば、スイッチングの周波数とスイッチングノイズの強さとが変化するので、害鳥の聴覚を常に刺激し、害鳥撃退効果が持続する。また、害鳥が追払われることにより、太陽電池４のパネルが害鳥の糞によって汚されることがないので、太陽電池４の発電効率の低下が防止される。
【図面の簡単な説明】
【００６４】
【図１】本発明の一実施形態に係る害鳥撃退システムの概略構成図。
【図２】本発明の一実施形態に係る害鳥撃退システムの概略構成図。
【図３】（ａ）本発明の一実施形態に係る害鳥撃退システムの概略構成図，（ｂ）前記害鳥撃退システムに具備されたインバータノイズ切換え機構の概略構成図。
【図４】本発明の一実施形態に係る害鳥撃退システムの概略構成図。
【図５】太陽光発電システムの概略説明図。
【符号の説明】
【００６５】
１，６，７，９…害鳥撃退システム
２ａ，２ｂ，２ｃ，２ｄ…太陽光発電システム
３…ノイズ放射部
４…太陽電池
５ａ，５ｂ，５ｃ，５ｄ…パワーコンディショナシステム
８…ノイズ切換えシステム
３１…出力線
５１，５３，５６…配線遮断器
５２，５７…インバータ
５４，５９…直流回路
５５，５８…交流回路
８１…切換えスイッチ
８２ａ，８２ｂ…ノイズフィルタ
８３，７４，７５…出力線
【図１】
2007228930.tif 000003
【図２】
2007228930.tif 000004
【図３】
2007228930.tif 000005
【図４】
2007228930.tif 000006
【図５】
2007228930.tif 000007